(57)【要約】【課題】スクリーン上にポインタで指示した強調したい領域を手ブレなどの影響がなく見栄え良く表示することができる表示方法とプロジェクタを提供する。【解決手段】このプロジェクタ１０は、外部から画像データを入力し、入力された画像データを記憶し、記憶された画像データに従ってスクリーンに画像を投影するプロジェクタであって、１フレーム毎の画像データが入力される毎に、該画像データを読み込む画像データ読み込み手段と、画像データ読み込み手段によって読み込まれた画像データから得られる画像をブロック毎の領域に分ける領域形成手段２１と、スクリーン上に投影された画像から強調したい領域を指定する領域指定手段と、領域指定手段によって指定された領域以外をマスキングする領域強調手段２２，２３と備える。【選択図】図１
2009063685.tif 000002
【特許請求の範囲】
【請求項１】
外部から画像データを入力し、入力された前記画像データを記憶し、記憶された前記画像データに従ってスクリーンに画像を投影するプロジェクタであって、
１フレーム毎の画像データが入力される毎に、該画像データを読み込む画像データ読み込み手段と、
前記画像データ読み込み手段によって読み込まれた前記画像データから得られる画像をブロック毎の領域に分ける領域形成手段と、
前記スクリーン上に投影された画像から強調したい領域を指定する領域指定手段と、
前記領域指定手段によって指定された領域以外をマスキングする領域強調手段とを備えることを特徴とするプロジェクタ。
【請求項２】
外部から画像データを入力し、入力された前記画像データを記憶し、記憶された前記画像データに従ってスクリーンに画像を投影するプロジェクタであって、
数フレーム毎の画像データが入力される毎に、該画像データを読み込む画像データ読み込み手段と、
前記画像データ読み込み手段によって読み込まれた前記画像データから得られる画像をブロック毎の領域に分ける領域形成手段と、
前記スクリーン上に投影された画像から強調したい領域を指定する領域指定手段と、
前記領域指定手段によって指定された領域以外をマスキングする領域強調手段とを備えることを特徴とするプロジェクタ。
【請求項３】
外部から画像データを入力し、入力された前記画像データを記憶し、記憶された前記画像データに従ってスクリーンに画像を投影するプロジェクタであって、
１フレーム毎の画像が前記スクリーンに投影される毎に、該画像を撮影する撮影手段と、
前記撮影手段によって撮影した画像から得られる画像データを読み込む画像データ読み込み手段と、
前記画像データ読み込み手段によって読み込まれた前記画像データから得られる画像をブロック毎の領域に分ける領域形成手段と、
前記スクリーン上に投影された画像から強調したい領域を指定する領域指定手段と、
前記領域指定手段によって指定された領域以外をマスキングする領域強調手段とを備えることを特徴とするプロジェクタ。
【請求項４】
外部から画像データを入力し、入力された前記画像データを記憶し、記憶された前記画像データに従ってスクリーンに画像を投影するプロジェクタであって、
数フレーム毎の画像が前記スクリーンに投影される毎に、該画像を撮影する撮影手段と、
前記撮影手段によって撮影した画像から得られる画像データを読み込む画像データ読み込み手段と、
前記画像データ読み込み手段によって読み込まれた前記画像データから得られる画像をブロック毎の領域に分ける領域形成手段と、
前記スクリーン上に投影された画像から強調したい領域を指定する領域指定手段と、
前記領域指定手段によって指定された領域以外をマスキングする領域強調手段とを備えることを特徴とするプロジェクタ。
【請求項５】
前記領域強調手段は、前記領域形成手段によって分けた前記領域が複数ある場合は、予め設定された優先順位に基づいて強調領域を順に選択して、選択された強調領域以外をマスキングすることを特徴とする請求項１〜４のいずれか１項に記載のプロジェクタ。
【請求項６】
外部から画像データを入力し、入力された前記画像データを記憶し、記憶された前記画像データに従ってスクリーンに画像を投影して表示する表示方法であって、
１フレーム毎の画像データが入力される毎に、該画像データを読み込む画像データ読み込みステップと、
前記画像データ読み込みステップによって読み込まれた前記画像データから得られる画像をブロック毎の領域に分ける領域形成ステップと、
前記スクリーン上に投影された画像から強調したい領域を指定する領域指定ステップと、
前記領域指定ステップによって指定された領域以外をマスキングする領域強調ステップとを含むことを特徴とする表示方法。
【請求項７】
外部から画像データを入力し、入力された前記画像データを記憶し、記憶された前記画像データに従ってスクリーンに画像を投影して表示する表示方法であって、
数フレーム毎の画像データが入力される毎に、該画像データを読み込む画像データ読み込みステップと、
前記画像データ読み込みステップによって読み込まれた前記画像データから得られる画像をブロック毎の領域に分ける領域形成ステップと、
前記スクリーン上に投影された画像から強調したい領域を指定する領域指定ステップと、
前記領域指定ステップによって指定された領域以外をマスキングする領域強調ステップとを含むことを特徴とする表示方法。
【請求項８】
外部から画像データを入力し、入力された前記画像データを記憶し、記憶された前記画像データに従ってスクリーンに画像を投影して表示する表示方法であって、
１フレーム毎の画像が前記スクリーンに投影される毎に、該画像を撮影する撮影ステップと、
前記撮影ステップで撮影した画像から得られる画像データを読み込む画像データ読み込みステップと、
前記画像データ読み込みステップによって読み込まれた前記画像データから得られる画像をブロック毎の領域に分ける領域形成ステップと、
前記スクリーン上に投影された画像から強調したい領域を指定する領域指定ステップと、
前記領域指定ステップによって指定された領域以外をマスキングする領域強調ステップとを含むことを特徴とする表示方法。
【請求項９】
外部から画像データを入力し、入力された前記画像データを記憶し、記憶された前記画像データに従ってスクリーンに画像を投影して表示する表示方法であって、
数フレーム毎の画像が前記スクリーンに投影される毎に、該画像を撮影する撮影ステップと、
前記撮影ステップで撮影した画像から得られる画像データを読み込む画像データ読み込みステップと、
前記画像データ読み込みステップによって読み込まれた前記画像データから得られる画像をブロック毎の領域に分ける領域形成ステップと、
前記スクリーン上に投影された画像から強調したい領域を指定する領域指定ステップと、
前記領域指定ステップによって指定された領域以外をマスキングする領域強調ステップとを含むことを特徴とする表示方法。
【請求項１０】
前記領域強調ステップは、前記領域形成ステップで分けられた前記領域が複数ある場合は、予め設定された優先順位に基づいて強調領域を順に選択して、選択された強調領域以外をマスキングすることを特徴とする請求項６〜９のいずれか１項に記載の表示方法。
【発明の詳細な説明】
【技術分野】
【０００１】
本発明は、表示方法とプロジェクタに関し、特に、スクリーン上に投影表示された画面の特定の領域以外をマスクして表示する表示方法とプロジェクタに関する。
【背景技術】
【０００２】
従来、プロジェクタ装置によるプレゼンテーションを行う場合、スクリーン上に投影表示された画面の特定の領域に注目させたいような際には、その領域をレーザポインタ等の指示具を用いて指示することが一般的に行われている。しかしながら、レーザポインタ等の指示具を用いて注目させる方法では、指示具を保持し続けなければ、レーザポインタで指示したスポットが動いてしまうため、視聴者に対し不快感を与える可能性がある。
【０００３】
そこで、特許文献１では、レーザポインタにより指示された囲い込みや線分をカメラで取り込み、画像に重ねて表示することにより、スポットが動いてしまうことのない指示を行うことができるようになることを開示している。
【特許文献２】特開２００５−１４８５６０号公報
【発明の開示】
【発明が解決しようとする課題】
【０００４】
しかしながら、特許文献１での方法では、レーザポインタで指示したスポットの動きはなくなるが、スポットで指示して強調したい領域はフリーハンドで指示されるため、手ブレの状態で描いたスポットの曲線がそのまま固定されて表示されるため、見栄えが悪くなるという問題点がある。
【０００５】
本発明の目的は、上記課題に鑑み、スクリーン上の強調したい領域を手ブレなどの影響がなく見栄え良く表示することができる表示方法とプロジェクタを提供することにある。
【課題を解決するための手段】
【０００６】
本発明に係る表示方法とプロジェクタは、上記の目的を達成するために、次のように構成される。
第１のプロジェクタ（請求項１に対応）は、外部から画像データを入力し、入力された画像データを記憶し、記憶された画像データに従ってスクリーンに画像を投影するプロジェクタであって、１フレーム毎の画像データが入力される毎に、該画像データを読み込む画像データ読み込み手段と、画像データ読み込み手段によって読み込まれた画像データから得られる画像をブロック毎の領域に分ける領域形成手段と、スクリーン上に投影された画像から強調したい領域を指定する領域指定手段と、領域指定手段によって指定された領域以外をマスキングする領域強調手段とを備えることを特徴とする。
第２のプロジェクタ（請求項２に対応）は、外部から画像データを入力し、入力された画像データを記憶し、記憶された画像データに従ってスクリーンに画像を投影するプロジェクタであって、数フレーム毎の画像データが入力される毎に、該画像データを読み込む画像データ読み込み手段と、画像データ読み込み手段によって読み込まれた画像データから得られる画像をブロック毎の領域に分ける領域形成手段と、スクリーン上に投影された画像から強調したい領域を指定する領域指定手段と、領域指定手段によって指定された領域以外をマスキングする領域強調手段とを備えることを特徴とする。
第３のプロジェクタ（請求項３に対応）は、外部から画像データを入力し、入力された画像データを記憶し、記憶された画像データに従ってスクリーンに画像を投影するプロジェクタであって、１フレーム毎の画像がスクリーンに投影される毎に、該画像を撮影する撮影手段と、撮影手段によって撮影した画像から得られる画像データを読み込む画像データ読み込み手段と、画像データ読み込み手段によって読み込まれた画像データから得られる画像をブロック毎の領域に分ける領域形成手段と、スクリーン上に投影された画像から強調したい領域を指定する領域指定手段と、領域指定手段によって指定された領域以外をマスキングする領域強調手段とを備えることを特徴とする。
第４のプロジェクタ（請求項４に対応）は、外部から画像データを入力し、入力された画像データを記憶し、記憶された画像データに従ってスクリーンに画像を投影するプロジェクタであって、数フレーム毎の画像がスクリーンに投影される毎に、該画像を撮影する撮影手段と、撮影手段によって撮影した画像から得られる画像データを読み込む画像データ読み込み手段と、画像データ読み込み手段によって読み込まれた画像データから得られる画像をブロック毎の領域に分ける領域形成手段と、スクリーン上に投影された画像から強調したい領域を指定する領域指定手段と、領域指定手段によって指定された領域以外をマスキングする領域強調手段とを備えることを特徴とする。
第５のプロジェクタ（請求項５に対応）は、上記の構成において、好ましくは、領域強調手段は、領域形成手段によって分けた領域が複数ある場合は、予め設定された優先順位に基づいて強調領域を順に選択して、選択された強調領域以外をマスキングすることを特徴とする。
第１の表示方法（請求項６に対応）は、外部から画像データを入力し、入力された画像データを記憶し、記憶された画像データに従ってスクリーンに画像を投影して表示する表示方法であって、１フレーム毎の画像データが入力される毎に、該画像データを読み込む画像データ読み込みステップと、画像データ読み込みステップによって読み込まれた画像データから得られる画像をブロック毎の領域に分ける領域形成ステップと、スクリーン上に投影された画像から強調したい領域を指定する領域指定ステップと、領域指定ステップによって指定された領域以外をマスキングする領域強調ステップとを含むことを特徴とする。
第２の表示方法（請求項７に対応）は、外部から画像データを入力し、入力された画像データを記憶し、記憶された画像データに従ってスクリーンに画像を投影して表示する表示方法であって、数フレーム毎の画像データが入力される毎に、該画像データを読み込む画像データ読み込みステップと、画像データ読み込みステップによって読み込まれた画像データから得られる画像をブロック毎の領域に分ける領域形成ステップと、スクリーン上に投影された画像から強調したい領域を指定する領域指定ステップと、領域指定ステップによって指定された領域以外をマスキングする領域強調ステップとを含むことを特徴とする。
第３の表示方法（請求項８に対応）は、外部から画像データを入力し、入力された画像データを記憶し、記憶された画像データに従ってスクリーンに画像を投影して表示する表示方法であって、１フレーム毎の画像がスクリーンに投影される毎に、該画像を撮影する撮影ステップと、撮影ステップで撮影した画像から得られる画像データを読み込む画像データ読み込みステップと、画像データ読み込みステップによって読み込まれた画像データから得られる画像をブロック毎の領域に分ける領域形成ステップと、スクリーン上に投影された画像から強調したい領域を指定する領域指定ステップと、領域指定ステップによって指定された領域以外をマスキングする領域強調ステップとを含むことを特徴とする。
第４の表示方法（請求項９に対応）は、外部から画像データを入力し、入力された画像データを記憶し、記憶された画像データに従ってスクリーンに画像を投影して表示する表示方法であって、数フレーム毎の画像がスクリーンに投影される毎に、該画像を撮影する撮影ステップと、撮影ステップで撮影した画像から得られる画像データを読み込む画像データ読み込みステップと、画像データ読み込みステップによって読み込まれた画像データから得られる画像をブロック毎の領域に分ける領域形成ステップと、スクリーン上に投影された画像から強調したい領域を指定する領域指定ステップと、領域指定ステップによって指定された領域以外をマスキングする領域強調ステップとを含むことを特徴とする。
第５の表示方法（請求項１０に対応）は、上記の方法において、好ましくは、領域強調ステップは、領域形成ステップで分けられた領域が複数ある場合は、予め設定された優先順位に基づいて強調領域を順に選択して、選択された強調領域以外をマスキングすることを特徴とする。
【発明の効果】
【０００７】
本発明によれば、画像データ読み込み手段によって読み込まれた画像データから得られる画像をブロック毎の領域に分ける領域形成手段を備えるため、領域指定の手間が不要で１フレーム毎の画像データが入力される毎に、自動的に即座に強調したい領域を設定できる。また、本発明によれば、領域指定手段で強調する領域を指定し、領域強調手段によって領域指定手段により指定した領域以外をマスキングするため、領域指定手段として用いられるレーザポインタやマウスカーソル等の動きに対しても手ブレの影響を受けずに領域を強調することができる。さらに、本発明によれば、強調したい領域が複数ある場合は、予め設定された優先順位に基づいて強調領域を順に選択して、選択された強調領域以外をマスキングするために、手ブレもなく効率の良いプレゼンテーションを実施することができる。
また、本発明によれば、画像データ読み込みステップによって読み込まれた画像データから得られる画像をブロック毎の領域に分ける領域形成ステップを含むため、領域指定の手間が不要で１フレーム毎の画像データが入力される毎に、自動的に即座に強調したい領域を設定できる。さらに、本発明によれば、領域指定ステップで強調する領域を指定し、領域強調ステップによって領域指定ステップにより指定した領域以外をマスキングするため、領域指定ステップで用いられるレーザポインタやマウスカーソル等の動きに対しても手ブレの影響を受けずに領域を強調することができる。また、本発明によれば、強調したい領域が複数ある場合は、予め設定された優先順位に基づいて強調領域を順に選択して、選択された強調領域以外をマスキングするために、手ブレもなく効率の良いプレゼンテーションを実施することができる。
【発明を実施するための最良の形態】
【０００８】
以下に、本発明の好適な実施形態（実施例）を添付図面に基づいて説明する。
【０００９】
図１は、本発明の第１の実施形態に係るプロジェクタの機能ブロック図である。図１において、プロジェクタ１０にパソコン１１等が接続されている。プロジェクタ１０は、パソコン１１からの信号を入力信号とし、その入力信号に基づいてスクリーン１２に映像を投影する。
【００１０】
プロジェクタ１０には、記憶部１３、制御部１４、操作部１５、信号処理部１６、フレームメモリ１７、表示制御部１８が設けられている。
【００１１】
記憶部１３には、図２に示すように、制御プログラム２０と領域形成プログラム２１と領域強調プログラム２２等が記憶されている。制御プログラム２０は、信号処理部１６とフレームメモリ１７と表示制御部１８を制御するプログラムである。領域形成プログラム（領域形成手段）２１は、投影画像データの信号分析によりブロック毎の領域を自動判定するプログラムである。領域強調プログラム（領域強調手段）２２は、ブロック毎の領域を自動的にまたはマウスカーソル等のポインタ等（領域指定手段）による指示領域をもとに特定し、その領域以外の部分をマスキングするプログラムである。  
【００１２】
制御部１４は、操作部１５からの入力に従って、記憶部１３に記憶された制御プログラム２０と領域形成プログラム２１と領域強調プログラム２２等を実行し、信号処理部１６とフレームメモリ１７と表示制御部１８を動作させる。
【００１３】
信号処理部１６は、パソコン１１から入力される入力信号から表示制御データと画像データを抽出し、画像データのうち、１フレーム分の画像データをフレームメモリ１７に送る。フレームメモリ１７は、信号処理部１６から送られた１フレーム分の画像データを記憶する。また、信号処理部１６で抽出された表示制御データは、制御部１４によって読み取られ、制御部１４は、その読み取った表示制御データと、領域強調プログラム等に従って、表示制御部１８を制御する。表示制御部１８は、表示制御データに基づいて制御部１４によって画像の明るさや大きさ等を設定し、フレームメモリ１７に記憶された１フレーム分の画像データに基づいてスクリーン１２に画像を投影する。また、表示制御部１８は、領域強調プログラムの実行により制御部１４から送られる制御信号に従い、スクリーン１２に投影された画像のうちの特定の領域を強調するように部分的に輝度を調整し、強調する領域を明るくし、その他の領域を暗くするかなどしてマスキングを行う。
【００１４】
また、制御部１４は、フレームメモリ１７に記憶される画像データが更新される毎に、領域形成プログラム２１が実行され、フレームメモリ１７に記憶される画像データを読み込み、その読み込んだ画像データに基づいて、画像をその特徴が同種のもの同士にブロック毎に分け、領域を形成する。すなわち、１フレームの画像のうち図形と文章がある場合には、図形のブロックと文章のブロックとに分け、領域を形成する。また、画像データのうち、データのある部分と、データのない部分（空白の部分）のあるときは、その空白部分を基準にして領域を分けて形成する。さらに、文章の文字の大きさが異なるものが複数あるときは、文字の大きさが同じもの同士を同一領域とし、領域を形成する。また、文字の色を変えているときは、同じ色同士を１領域とし、領域形成する。このようにして設定した複数の領域に順番を付けて記憶部１３に記憶する。
【００１５】
操作部１５は、プレゼンタ等により操作され、制御部１４にプロジェクタの各動作の命令を送ることができる。
【００１６】
次に、図３〜図９を用いて、プロジェクタ１０での表示方法と動作を説明する。まず、図３を参照してプロジェクタ１０の領域形成手順を説明する。この処理は、記憶部１３に記憶される領域形成プログラム２１に従って行われる。
【００１７】
ステップＳ１１：制御部１４は、フレームメモリ１７に１フレーム分の画像データが入力されたかどうか判断する。もし、フレームメモリ１７に１フレーム分の画像データが入力されなかったならばこのステップを繰り返す。
ステップＳ１２：もし、フレームメモリ１７に１フレーム分の画像データが入力されたならば、制御部１４は、フレームメモリ１７に記憶された１フレーム分の画像データを読み込む。
次のステップＳ１３からステップＳ１６で制御部１４は、読み込んだ画像データをブロック毎の領域に分ける。
ステップＳ１３：制御部１４は、画像データのうち空白を示すデータを検索し、その空白を示すデータに基づいて、空白を示すデータの画像部分を境界とする領域に分けて領域を形成する。
ステップＳ１４：制御部１４は、画像データのうち図形を示すデータの領域と文字を示すデータの領域を分けて領域を形成する。
ステップＳ１５：制御部１４は、画像データのうち文字データから文字の大きさの違いにより領域を分けて領域を形成する。
ステップＳ１６：制御部１４は、画像データのうち文字データから色の違いにより領域を分けて領域を形成する。
ステップＳ１７：制御部１４は、ステップＳ１３からステップＳ１６で形成し設定した複数の領域に順番を付けて記憶部１３に記憶する。
そして、リターンする。
【００１８】
次に、スクリーン１２に投影された画像の部分を強調するときの表示方法とプロジェクタ１０の動作を、図４のフローチャートで示す。また、そのときの画像の表示例を図５〜図８に示す。この動作では、領域強調プログラム２２に従って処理される。
【００１９】
この処理では、スクリーン１２上に投影された画像から強調したい領域を指定する領域指定ステップと、領域指定ステップによって指定された領域以外をマスキングする領域強調ステップとを含んでいる。このとき、領域形成プログラム２１によってスクリーン１２に投影される画像３０を形成する画像データが、図５で示されるような図形の領域３１と、文字の大きな領域３２と、文字の小さな領域３３の３つの領域に分けられて、それらの領域情報が記憶部１３に記憶されている。
ステップＳ２１：制御部１４は、操作部１５によってポインタを表示制御部１８から出力しているか否か判断する。もし、操作部１５によってポインタを表示制御部１８から出力していないならばこのステップを繰り返す。
ステップＳ２２：制御部１４は、もし、操作部１５によってポインタを表示制御部１８から出力しているならば、そのポインタが図６で示すようにライン状（符号３４で示す）に移動または図７で示すように弧（符号３５で示す）を描くように移動しているか、１箇所付近でほぼ静止しているかを判断する。もし、ポインタが１箇所付近でほぼ静止している場合は、ステップＳ２２を繰り返し実行する。もし、ライン状または弧を描くように移動しているならば、ステップＳ２３を実行する。
ステップＳ２３：ステップＳ２２で操作部１５によってポインタがライン状を描くように移動している場合には、ラインの上側にある領域以外をマスキング、弧を描くように移動している場合には、そのポインタで指定した領域以外をマスキングする。すなわち、ステップＳ２２で図６や図７に示すようにポインタで領域をマークしたとき、図８に示されるようにマークされた領域以外はマスキングされ、当該マークされた領域が強調表示される。
ステップＳ２４：制御部１４は、操作部１５の図示しない強調解除キーが押されたか否か判断する。もし、解除キーが押されていないならば、ステップＳ２３、Ｓ２４を繰り返す。もし、解除キーが押されたならば、ステップＳ２５を実行する。
ステップＳ２５：制御部１４は、表示制御部１８を制御し、マスキングを解除する。そしてリターンする。
【００２０】
以上説明したように、本実施形態によれば、画像データ読み込み手段によって読み込まれた画像データから得られる画像をブロック毎の領域に分ける領域形成手段２１を備えるため、領域指定の手間が不要で１フレーム毎の画像データが入力される毎に、自動的に即座に強調したい領域を設定できる。また、１フレーム毎の処理に負荷が有る場合は、プレゼンで使用される画像は静止画が多いので、数フレーム毎に処理をしてもよい。
【００２１】
図９は、操作部１５で図示しない第２の領域強調プログラム実行ボタンで実行したときのフローチャートである。この第２の領域強調プログラム２３は、操作部１５で図示しないブロック検索ボタンを押すことにより、領域を検索し、操作部１５の図示しない強調ボタンを押すことにより順次領域を強調して表示するプログラムである。
ステップＳ３１：使用者は、操作部１５の図示しない強調ブロック検索ボタンを操作する。これにより、第２の領域強調プログラム２３が実行される。
ステップＳ３２：制御部１４は、ブロック検索を行う。すなわち、制御部１４は、フレームメモリ１７に記憶された１フレーム分の画像データを読み込み、図３で示したステップＳ１３からステップＳ１６と同様に制御部１４は、読み込んだ画像データをブロック毎の領域に分ける。
ステップＳ３３：制御部１４は、画像データがブロックがあるか否か判断する。ブロックがない場合は、ステップＳ３１に戻る。ブロックがある場合は、ステップＳ３４を実行する。
ステップＳ３４：制御部１４は、画像の中にブロックが複数あるか否か判断する。
ステップＳ３５：制御部１４は、記憶部１３にブロックを優先順位を付けて登録する。
ステップＳ３６：制御部１４は、使用者が操作部１５の図示しない強調ブロックプレゼンボタンを操作する毎に優先順位に従い、表示制御部１８を制御してブロックを強調するようにブロック以外の部分をマスキングしてスクリーン１２に表示する。
ステップＳ３７：制御部１４は、使用者が操作部１５の図示しない強調プレゼン解除ボタンを押した場合は、表示制御部１８を制御して、マスキングを解除して強調プレゼンを解除する。
ステップＳ３８：ステップＳ３４でブロックが複数ではないときは、その一つのブロックを記憶部１３に登録する。
ステップＳ３９：制御部１４は、使用者が操作部１５の図示しない強調ブロックプレゼンボタンを操作すると、表示制御部１８を制御し、ブロック以外の部分をマスキングしブロック強調を行う。
ステップＳ４０：制御部１４は、使用者が操作部１５の図示しない強調プレゼン解除ボタンを押した場合は、表示制御部１８を制御して、マスキングを解除して強調プレゼンを解除する。
【００２２】
以上説明したように、本実施形態によれば、強調したい領域が複数ある場合は、予め設定された優先順位に基づいて強調領域を順に選択して、選択された強調領域以外をマスキングするために、手ブレもなく効率の良いプレゼンテーションを実施することができる。
【００２３】
図１０は、本発明の第２の実施形態に係るプロジェクタの機能ブロック図である。第２の実施形態においては、スクリーン１２に投影される画像を撮影するカメラ５１を設けた点が第１の実施形態とは異なる点である。それ以外は、第１の実施形態と同様であるので図１と同様の符号を付け説明する。図１０において、プロジェクタ５０にパソコン１１等が接続されている。プロジェクタ５０は、パソコン１１からの信号を入力信号とし、その入力信号に基づいてスクリーン１２に映像を投影する。カメラ５１は、撮影した画像を画像データとして記憶するメモリ５１ａを備えている。また、図１１に示すように、記憶部１３には、制御プログラム６０と領域形成プログラム６１と領域強調プログラム６２と第２の領域強調プログラム６３が記憶されている。  
【００２４】
制御部１４は、操作部１５からの入力に従って、記憶部１３に記憶された制御プログラム６０と領域形成プログラム６１と領域強調プログラム６２と第２の領域強調プログラム等を実行し、信号処理部１６とフレームメモリ１７と表示制御部１８とカメラ５１を動作させる。
【００２５】
また、制御部１４は、カメラ５１により撮影されるスクリーン１２に投影される画像が更新される毎に、領域形成プログラム６１が実行され、カメラ５１によって画像が撮影され、メモリ５１ａに記憶された、撮影された画像の画像データを読み込み、その読み込んだ画像データに基づいて、画像をその特徴が同種のもの同士にブロック毎に分け、領域を形成する。すなわち、１フレームの画像のうち図形と文章がある場合には、図形のブロックと文章のブロックとに分け、領域を形成する。また、画像データのうち、データのある部分と、データのない部分（空白の部分）のあるときは、その空白部分を基準にして領域を分けて形成する。さらに、文章の文字の大きさが異なるものが複数あるときは、文字の大きさが同じもの同士を同一領域とし、領域を形成する。また、文字の色を変えているときは、同じ色同士を１領域とし、領域形成する。このようにして設定した複数の領域に順番を付けて記憶部１３に記憶する。
【００２６】
このとき、カメラ５１で、単純に画像を取り込むと投影された領域以外も含まれるので誤動作の原因となる。これを解決するため、特願２００５−１６９４３にあるスクリーン検出を行ってからスクリーン内の投影された画像のみを検出するようにする。
【００２７】
次に、プロジェクタ５０での表示方法と動作を説明する。まず、図１２を参照してプロジェクタ５０の領域形成手順を説明する。この処理は、記憶部１３に記憶される領域形成プログラム６１に従って行われる。
【００２８】
ステップＳ５１：制御部１４は、カメラ５１によってスクリーン１２を撮影し、カメラ５１によって撮影されるスクリーン１２上の画像がカメラ５１内のメモリ５１ａに入力され、その画像データを読み込む。
ステップＳ５２：制御部１４は、画像データより、カメラ５１によって撮影されるスクリーン１２上の画像が更新されたかを判断する。
次のステップＳ５３からステップＳ５６で制御部１４は、読み込んだ画像データをブロック毎の領域に分ける。
ステップＳ５３：制御部１４は、画像データのうち空白を示すデータを検索し、その空白を示すデータに基づいて、空白を示すデータの画像部分を境界とする領域に分けて領域を形成する。
ステップＳ５４：制御部１４は、画像データのうち図形を示すデータの領域と文字を示すデータの領域を分けて領域を形成する。
ステップＳ５５：制御部１４は、画像データのうち文字データから文字の大きさの違いにより領域を分けて領域を形成する。
ステップＳ５６：制御部１４は、画像データのうち文字データから色の違いにより領域を分けて領域を形成する。
ステップＳ５７：制御部１４は、ステップＳ５３からステップＳ５６で形成し設定した複数の領域に順番を付けて記憶部１３に記憶する。
そして、リターンする。
【００２９】
次に、スクリーン１２に投影された画像の部分を強調するときの表示方法とプロジェクタ５０の動作を説明する。ここでは、プロジェクタ５０での動作を図１３のフローチャートと図５〜図８の画像の表示例を用いて説明する。この動作では、領域強調プログラム６２に従って処理される。
【００３０】
この処理では、スクリーン１２上に投影された画像から強調したい領域を指定する領域指定ステップと、領域指定ステップによって指定された領域以外をマスキングする領域強調ステップとを含んでいる。このとき、領域形成プログラム２１によってスクリーン１２に投影される画像３０を形成する画像データが、図５で示されるような図形の領域３１と、文字の大きな領域３２と、文字の小さな領域３３の３つの領域に分けられて、それらの領域が記憶部１３に記憶されている。
ステップＳ６１：制御部１４は、カメラ５１によって撮影されているスクリーン１２上にレーザポインタ等のポインタが照射されているか否か判断する。もし、ポインタが照射されていないならばこのステップを繰り返す。
ステップＳ６２：制御部１４は、もし、ポインタがスクリーン１２上に照射されているならば、そのポインタが図６で示したものと同様のライン状に移動しているか図７で示したものと同様の弧を描くように移動しているか、１箇所付近でほぼ静止しているかを判断する。もし、１箇所付近でほぼ静止しているならば、ステップＳ６２を繰り返し実行する。もし、ライン状または弧を描くように移動しているならば、ステップＳ６３を実行する。
ステップＳ６３：ステップＳ６２でレーザポインタをライン状を描くように移動している場合には、ラインの上側にある領域以外をマスキング、弧を描くように移動している場合には、そのポインタで指定した領域以外をマスキングする。すなわち、ステップＳ６２で図６に示すようにライン状、または図７に示すように弧を描くようにポインタでマークしたとき、図８に示されるようにマークされた領域以外はマスキングされ、マークされた領域が表示される。
ステップＳ６４：制御部１４は、操作部１５の図示しない強調解除キーが押されたかどうか判断する。もし、解除キーが押されていないならば、ステップＳ６３、Ｓ６４を繰り返す。もし、解除キーが押されたならば、ステップＳ６５を実行する。
ステップＳ６５：制御部１４は、表示制御部１８を制御し、マスキングを解除する。そしてリターンする。
【００３１】
以上説明したように、本実施形態によれば、画像データ読み込み手段によって読み込まれた画像データから得られる画像をブロック毎の領域に分ける領域形成手段を備えるため、領域指定の手間が不要で１フレーム毎の画像データが入力される毎に、自動的に即座に強調したい領域を設定できる。また、本発明によれば、領域指定手段で強調する領域を指定し、領域強調手段によって領域指定手段によって指定した領域以外をマスキングするため、領域指定手段として用いられるレーザポインタ等の動きに対しても手ブレの影響を受けずに領域を強調することができる。また、１フレーム毎の処理に負荷が有る場合は、プレゼンで使用される画像は静止画が多いので、数フレーム毎に処理をしてもよい。
また、本発明によれば、領域指定手段で強調する領域を指定し、領域強調手段２２によって領域指定手段２１によって指定した領域以外をマスキングするため、領域指定手段として用いられるマウスカーソル等の動きに対しても手ブレの影響を受けずに領域を強調することができる。
【００３２】
第２の実施形態においても第１の実施形態で説明した第２の領域強調プログラム６３を実行させることにより、領域を検索し、操作部１５の図示しない強調ボタンを押すことにより順次領域を強調して表示することができる。図１４は、操作部１５で図示しない第２の領域強調プログラム実行ボタンで実行したときのフローチャートである。この第２の領域強調プログラムでは、操作部でブロック検索ボタンを押すことにより、領域を検索し、操作部１５の図示しない強調ボタンを押すことにより順次領域を強調して表示するプログラムである。
ステップＳ７１：使用者は、操作部１５の図示しない強調ブロック検索ボタンを操作する。これにより、第２の領域強調プログラム６３が実行される。
ステップＳ７２：制御部１４は、ブロック検索を行う。すなわち、制御部１４は、カメラ５１によって撮影され、メモリ５１ａに記憶されたスクリーン１２上の画像の画像データを読み込み、図１２で示したステップＳ５３からステップＳ５６と同様に制御部１４は、読み込んだ画像データをブロック毎の領域に分ける。
ステップＳ７３：制御部１４は、画像データがブロックがあるか否か判断する。ブロックがない場合は、ステップＳ７１に戻る。ブロックがある場合は、ステップＳ７４を実行する。
ステップＳ７４：制御部１４は、画像の中にブロックが複数あるか否か判断する。
ステップＳ７５：制御部１４は、記憶部１３にブロックを優先順位を付けて登録する。
ステップＳ７６：制御部１４は、使用者が操作部１５の図示しない強調ブロックプレゼンボタンを操作する毎に優先順位に従い、表示制御部１８を制御してブロックを強調するようにブロック以外の部分をマスキングしてスクリーン１２に表示する。
ステップＳ７７：制御部１４は、使用者が操作部１５の図示しない強調プレゼン解除ボタンを押した場合は、表示制御部１８を制御して、マスキングを解除して強調プレゼンを解除する。
ステップＳ７８：ステップＳ３４でブロックが複数ではないときは、その一つのブロックを記憶部１３に登録する。
ステップＳ７９：制御部１４は、使用者が操作部１５の図示しない強調ブロックプレゼンボタンを操作すると、表示制御部１８を制御し、ブロック以外の部分をマスキングしブロック強調を行う。
ステップＳ８０：制御部１４は、使用者が操作部１５の図示しない強調プレゼン解除ボタンを押した場合は、表示制御部１８を制御して、マスキングを解除して強調プレゼンを解除する。
【００３３】
以上説明したように、本実施形態によれば、強調したい領域が複数ある場合は、予め設定された優先順位に基づいて強調領域を順に選択して、選択された強調領域以外をマスキングするために、手ブレもなく効率の良いプレゼンテーションを実施することができる。
【００３４】
なお、本実施形態においては、領域形成プログラム２１，６１によって形成される領域が図５で示すように複数行で表示される文章からなる領域をブロックとするようにして説明したが、複数行からなる文章を１行ずつのブロックに分けて領域を形成するようにしてもよい。そのときには、領域強調プログラム２２，６２で領域強調を実行する際に、表示された文章のうちの１行をポインタ等でライン状になぞることで、その１行の文章を強調表示することができる。また、表示された文章を複数行に渡って、ポインタ等で指定することによって、その指定した複数行の文章を強調表示することができるようにすることも可能である。
【００３５】
以上の実施形態で説明された構成、配置関係等については本発明が理解・実施できる程度に例示したものにすぎない。従って本発明は、説明された実施形態に限定されるものではなく、特許請求の範囲に示される技術的思想の範囲を逸脱しない限り様々な形態に変更することができる。
【産業上の利用可能性】
【００３６】
本発明は、スクリーン上に投影表示された画面の特定の領域以外をマスクして表示する表示方法とプロジェクタとして利用される。
【図面の簡単な説明】
【００３７】
【図１】本発明の第１の実施形態に係るプロジェクタのブロック図である。
【図２】本発明の第１の実施形態に係るプロジェクタの記憶部の構成を示す図である。
【図３】本発明の第１の実施形態に係るプロジェクタでの領域形成手順を説明するフローチャートである。
【図４】本発明の第１の実施形態に係るプロジェクタでの領域強調手順を説明するフローチャートである。
【図５】本発明の第１の実施形態に係るプロジェクタで投影される画像の表示例を示す図である。
【図６】本発明の第１の実施形態に係るプロジェクタで投影される画像の表示例を示す図である。
【図７】本発明の第１の実施形態に係るプロジェクタで投影される画像の表示例を示す図である。
【図８】本発明の第１の実施形態に係るプロジェクタで投影される画像の表示例を示す図である。
【図９】本発明の第１の実施形態に係るプロジェクタでの第２の領域強調プログラムで実行される領域強調手順を説明するフローチャートである。
【図１０】本発明の第２の実施形態に係るプロジェクタのブロック図である。
【図１１】本発明の第２の実施形態に係るプロジェクタの記憶部の構成を示す図である。
【図１２】本発明の第２の実施形態に係るプロジェクタでの領域形成手順を説明するフローチャートである。
【図１３】本発明の第２の実施形態に係るプロジェクタでの領域強調手順を説明するフローチャートである。
【図１４】本発明の第２の実施形態に係るプロジェクタでの第２の領域強調プログラムで実行される領域強調手順を説明するフローチャートである。
【符号の説明】
【００３８】
１０        プロジェクタ
１１        パソコン
１２        スクリーン
１３        記憶部
１４        制御部
１５        操作部
１６        信号処理部
１７        フレームメモリ
１８        表示制御部
２０        制御プログラム
２１        領域形成プログラム
２２        領域強調プログラム
２３        第２の領域強調プログラム
５０        プロジェクタ
５１        カメラ
５１ａ      メモリ
【図１】
2009063685.tif 000003
【図２】
2009063685.tif 000004
【図３】
2009063685.tif 000005
【図４】
2009063685.tif 000006
【図５】
2009063685.tif 000007
【図６】
2009063685.tif 000008
【図７】
2009063685.tif 000009
【図８】
2009063685.tif 000010
【図９】
2009063685.tif 000011
【図１０】
2009063685.tif 000012
【図１１】
2009063685.tif 000013
【図１２】
2009063685.tif 000014
【図１３】
2009063685.tif 000015
【図１４】
2009063685.tif 000016